(57)【要約】【課題】植物等から効率的にエキスを抽出でき、分解や組立が容易でコンパクトなエキス抽出蒸留装置を提供する。【解決手段】内部にエキス抽出対象となる処理物を収容し、注入部２４を介して外部より加温された蒸気を注入してエキスを抽出する抽出器３と、該抽出器３内で抽出されたエキス含有蒸気を導入し、迂回流を形成させて凝結させる空間からなる凝結室１４を内部に形成し、凝結したエキスを収容する回収器２とからなるエキス抽出蒸留装置において、上記抽出器３の上端外周側にフランジ状の鍔１１を形成し、密閉蓋２２を有する上部開放型の容器とし、上部開放型の回収器２内部に上記抽出器３を収容して上端側で支持し、凝結室１４の上方を上記鍔１１によって閉塞する構造とする。【選択図】図２
2008055246.tif 000002
【特許請求の範囲】
【請求項１】
内部にエキス抽出対象となる処理物を収容し、注入部（２４）を介して外部より加温された蒸気を注入してエキスを抽出する抽出器（３）と、該抽出器（３）内で抽出されたエキス含有蒸気を導入し、迂回流を形成させて凝結させる空間からなる凝結室（１４）を内部に形成し、凝結したエキスを収容する回収器（２）とからなるエキス抽出蒸留装置において、上記抽出器（３）の上端外周側にフランジ状の鍔（１１）を形成し、密閉蓋（２２）を有する上部開放型の容器とし、上部開放型の回収器（２）内部に上記抽出器（３）を収容して上端側で支持し、凝結室（１４）の上方を上記鍔（１１）によって閉塞する構造としたエキス抽出蒸留装置。
【請求項２】
内部に冷媒を収容し、該冷媒中に回収器（２）の外周側を接触させた状態で回収器（２）を支持する冷媒容器（１）を設けてなる請求項１のエキス抽出蒸留装置。
【請求項３】
抽出器（３）側周面を囲む迂回壁（１２）を設けて迂回室（１３）を形成させ、迂回室（１３）上部に抽出器（３）内上部から迂回室（１３）に蒸気を導く通気孔（１９）を設け、迂回室（１３）下部に迂回室（１３）から凝結室（１４）に蒸気を導入する導入口（１６），（１７）を設けた請求項１又は２のエキス抽出蒸留装置。
【請求項４】
抽出器（３）の鍔（１１）下面側に迂回壁（１２）を設けた請求項３のエキス抽出蒸留装置。
【請求項５】
迂回壁（１２）の上端外周側にフランジ状の鍔（２９）を形成させて迂回器（２８）とし、迂回器（２８）の上記鍔（２９）が回収器（２）上端に係止され、抽出器（３）の鍔（１１）が迂回器（２８）の鍔２８に係止され、凝結室（１４）上方を迂回器（２８）の鍔（２９）及び抽出器（３）の鍔（１１）によって閉塞する構造とした請求項３のエキス抽出蒸留装置。
【請求項６】
迂回壁（１２）外面を回収器（２）上端に接触させて抽出器（３）を回収器（２）の上端側で支持する請求項３，４又は５のエキス抽出蒸留装置。
【請求項７】
密閉蓋（２２）下面側に管状の注入部（２４）を下方に向かって延設し、抽出器（３）内下部に加温された蒸気を注入する構造とした請求項１，２，３，４，５又は６のエキス抽出蒸留装置。
【発明の詳細な説明】
【技術分野】
【０００１】
この発明は、植物等のエキスを抽出するエキス抽出蒸留装置に関する。
【背景技術】
【０００２】
植物からエキスを抽出し、エッセンシャルオイルや天然香料等を精製する方法としては、従来から蒸留による手段が広く用いられている。さらに近年では、家庭において無添加で安全な化粧水や香料等を手作りすることができる植物エキス抽出用の蒸留装置が注目を集め、それに関連する多くの蒸留装置（例えば特許文献１や、特許文献２）が公知となっている。
【特許文献１】特開２００２−３５６６９６号公報
【特許文献２】実用新案登録第３１２２５８２号公報
【発明の開示】
【発明が解決しようとする課題】
【０００３】
上記特許文献１の蒸留装置は、蒸気によって処理物からエキスを抽出する抽出部と、蒸気を凝結させる凝結部と、抽出部から凝結部に蒸気を迂回させながら移送させる空間とをそれぞれ別部品で形成し、それぞれ離れた箇所に配置するため、部品点数が多くなって構造が複雑になり、装置全体が大きくなってしまうという問題がある。
【０００４】
また、上記文献１の蒸留装置は構造がシンプルで分解や組立も容易であるが、各部材を上方に積み上げて設置するための装置全体をコンパクトにまとめることができない他、エキス含有蒸気の迂回流を安定的に形成させることが構造上困難であるという問題がある。
【課題を解決するための手段】
【０００５】
上記課題を解決するための本発明のエキス抽出蒸留装置は、第１に内部にエキス抽出対象となる処理物を収容し、注入部２４を介して外部より加温された蒸気を注入してエキスを抽出する抽出器３と、該抽出器３内で抽出されたエキス含有蒸気を導入し、迂回流を形成させて凝結させる空間からなる凝結室１４を内部に形成し、凝結したエキスを収容する回収器２とからなるエキス抽出蒸留装置において、上記抽出器３の上端外周側にフランジ状の鍔１１を形成し、密閉蓋２２を有する上部開放型の容器とし、上部開放型の回収器２内部に上記抽出器３を収容して上端側で支持し、凝結室１４の上部を上記鍔１１によって閉塞する構造としたことを特徴としている。
【０００６】
第２に、内部に冷媒を収容し、該冷媒中に回収器２の外周側を接触させた状態で回収器２を支持する冷媒容器１を設けてなることを特徴としている。
【０００７】
第３に、抽出器３側周面を囲む迂回壁１２を設けて迂回室１３を形成させ、迂回室１３上部に抽出器３内上部から迂回室１３に蒸気を導く通気孔１９を設け、迂回室１３下部に迂回室１３から凝結室１４に蒸気を導入する導入口１６，１７を設けたことを特徴としている。
【０００８】
第４に、抽出器３の鍔１１下面側に迂回壁１２を設けたことを特徴としている。
【０００９】
第５に、迂回壁１２の上端外周側にフランジ状の鍔２９を形成させて迂回器２８とし、迂回器２８の上記鍔２９が回収器２上端に係止され、抽出器３の鍔１１が迂回器２８の鍔２８に係止され、凝結室１４上方を迂回器２８の鍔２９及び抽出器３の鍔１１によって閉塞する構造としたことを特徴としている。
【００１０】
第６に、迂回壁１２外面を回収器２上端に接触させて抽出器３を回収器２の上端側で支持することを特徴としている。
【００１１】
第７に、密閉蓋２２下面側に管状の注入部２４を下方に向かって延設し、抽出器３内下部に加温された蒸気を注入する構造としたことを特徴としている。
【発明の効果】
【００１２】
以上のように構成される本発明のエキス抽出蒸留装置によれば、大きな器の内部に小さな器を収容して保持することにより、器内部及び器と器の間に形成される空間に抽出部、蒸気を移送させる空間及び凝結部等を設けることができるため、装置の構成がシンプルになり、装置全体をコンパクトにできるとともに、分解や組立、掃除なども容易に行うことができる。
【発明を実施するための最良の形態】
【００１３】
図１はエキス抽出蒸留装置の分解斜視図であり、図２はエキス抽出蒸留装置の正面断面図である。エキス抽出蒸留装置は冷媒容器１と、回収器２と、抽出器３とから構成されている。上記の器１，２，３はそれぞれ略円筒形状で下部が塞がれ、上部が開口した上部開放型の器であり、材料は耐熱性、耐水性及び耐酸性のあるステンレスや陶器等を用い、本エキス抽出蒸留装置ではステンレスを用いている。
【００１４】
冷媒容器１上部には排出孔４が穿設され、温められた冷却水を外部に排水する。回収器２は、筒状部分が冷媒容器１内に収容される大きさに形成されており、上端外周側にはフランジ状の鍔６が一体的に設けられている。冷媒容器１内に回収器２の筒状部分が挿入され回収器２の鍔６が冷却器１上端面に係止されることにより、冷媒容器１上方を塞いだ状態で、冷媒容器１内に回収器２が収容されて支持される。この際、冷媒容器１と、回収器２とは略同芯状になる。
【００１５】
冷媒容器１内を冷却水等の液体の冷媒で満たすと、その浮力によって回収器２が浮き上がってしまい、冷媒容器１内に回収器２を収容させることが困難になる。このためボルト７等の係止具を用いて冷媒容器１側に回収器２を固定する。また、回収器２の材料に重い材質のものを用いて、回収器２が浮き上がるのを防止させてもよい。
【００１６】
回収器２が冷却器１内に収容されて支持された際、冷媒容器１内に冷媒を注入できるように、回収器２の鍔６には注入孔８が穿設されている。注入孔８には漏斗９が差し込まれ、冷媒容器１内の下部に随時、冷却水等の冷媒を注ぎ入れることができるようになっている。
【００１７】
抽出器３は、筒状部分が回収器２内に収容される大きさに形成されており、上端外周側にはフランジ状の鍔１１が水平方向に一体的に延設されている。回収器２内に抽出器３の筒状部分が挿入され抽出器３の鍔１１が回収器２の鍔６上面に載置されることにより、回収器２上方を塞いだ状態で、回収器２内に抽出器３が収容されて支持される。この際、回収器２と抽出器３とは略同芯状であり、抽出器３下面側が回収器２底面に接触しないように抽出器３の高さが規定されている。
【００１８】
抽出器３の鍔１１の下面には、抽出器３と同芯状で円筒形状の迂回壁１２が、下方に向かって垂直方向で、抽出器３の筒状部分の側周面を覆うように突設されている。抽出器３の筒状部分の外周面と迂回壁１２内周面とにより下方が開放された迂回室１３が形成され、迂回壁１２外周面と回収器１内周面とにより凝結室１４が形成される。
【００１９】
前述したように迂回室１３下部は開放され開口部１６が形成されている他、迂回壁１２下端側には全体に亘り迂回室１３と凝結室１４とを連通させる通気孔１７が複数設けられており、この開口部１６及び通気孔１７が凝結室に蒸気を導入する導入口を形成する。一方、迂回室１３上部には、抽出器３内の抽出室１８上部と連通し抽出器３内のエキス含有蒸気を迂回室１３に導く通気孔１９が穿設されている。
【００２０】
さらに回収器３内を密閉状態にすると蒸気の逃げ場が無くなり、内部の圧力及び温度が上昇して凝結効率が低下してしまうため、回収器２の鍔６と抽出器３の鍔１１との間に突起物等（図示しない）を設けることによって間隙２１を形成させる。
【００２１】
抽出器３の鍔１１上面には、抽出室１８の上方を塞いで密閉する平面視略円形の密閉蓋２２が載置されている。密閉蓋２２上面の中心付近には設置口２３が設けられ、密閉蓋２２下面の中心付近には、設置口２３と内部が連通するように、下方に向けて垂直方向に管状の注入部２４が突設されている。注入部２４下端には注入部２４内部と連通する注入口２６が形成され、設置口２３から流し入れられた蒸気は注入部２４内を通って注入口２６から抽出室１８内に注入される。
【００２２】
注入口２６が抽出室１８の下側に位置するように、注入部２４の長さが規定される。なお、密閉蓋２２をある程度の重さにし、密閉蓋２２下面と抽出器３の鍔１１上面との間にゴムパッキン等（図示しない）を設ける等して、抽出室１８内を密閉し、外部に蒸気が漏れるのを防止する。
【００２３】
次に、上記構成のエキス抽出蒸留装置を用いて蒸留によりエキスを抽出する手順について、説明する。まず冷媒として冷却水（適宜氷を入れても良い）を入れた冷媒容器１内に、前述のように回収器２を収容する。冷却水により回収器２の内周面は冷され、凝結室１４内の凝結効率を向上させる。
【００２４】
そして、前述したように回収器２内に抽出器３を収容し、抽出器３の抽出室１８の底面に抽出対象となるハーブ等の処理物を載置して、密閉蓋２２によって抽出室１８内部を密閉する。密閉蓋２２の設置口２３には、ヤカンや圧力鍋等で加温された蒸気を設置口２３から注入部２４に流し込むための蒸気管２７を設置する。
【００２５】
注入部２４を通って注入口２６から抽出室１８内の下部に注入された蒸気は、処理物を蒸し上げて処理物から諸成分を抽出してエキス含有蒸気となり、抽出室１８内を上昇して通気孔１９を通って迂回室１３内に流れ込み、迂回壁１２により迂回して下方へ案内される。
【００２６】
下方へ案内されたエキス含有蒸気は、迂回室１３下部に形成される通気孔１７や開口部１６から凝結室１４下側に導入され、回収器２の内周面に接触して凝結し、凝結エキスとなって内周面上を伝って流下し、回収器２の底に溜まっていく。また、迂回壁１２の下側でも少量の蒸気が凝結して凝結エキスとなり、回収器２の底に落下する。回収器２の底に溜まった凝結エキスは、本エキス抽出蒸留装置を分解することによって容易に回収できる。
【００２７】
冷たい水は下側に集まるので回収器２の内周面の上側よりも下側の方が冷却された状態になる。一方、エキス含有蒸気は凝結室１４下側に導入されるため、蒸気の多くが回収器２の内周面下側に接触する。このため、効率のよい凝結が行われ、エキス含有蒸気の多くが凝結して凝結エキスとなる。なお前述したように漏斗９によって冷媒容器１内の下側から冷たい冷却水を注入することができるとともに、冷媒容器１内の上側に設けられた排出孔４から温められて上側に集まった冷却水を排水できるため、高い凝結効率を永続的に維持させることができる。
【００２８】
以上のようなエキス抽出蒸留装置によれば、冷媒容器１内に回収器２を重ね入れ、回収器２内に抽出器３を重ね入れ、回収器２と抽出器３との間に迂回壁１２を設けることで、装置全体をコンパクトでシンプルにしつつ、冷媒容器１と回収器２との間の空間、回収器２と抽出器３との間の空間、抽出器３と迂回壁１２との空間、及び抽出器３内部にそれぞれ冷媒収容部、凝結室１４、迂回室１３及び抽出室１８を形成させることがきる。
【００２９】
また、器の数も冷媒容器１，回収器２及び抽出器３の３つしかなく、各器１，２，３の形状もシンプルであるため、製造コストを低く抑えることができる他、装置の組立、分解及び掃除も容易になり、家庭で手軽にエキス抽出のための蒸留を行うことが可能である。
【００３０】
以上、迂回壁１２を抽出器３に一体形成する例につき説明したが、図３は迂回壁１２を有する迂回器２８を抽出器３とは別体で構成した例につき示している。このエキス抽出蒸留装置では、迂回壁１２の上端外側にフランジ状の鍔２９を水平方向に延設して下方が開放された迂回器２８を形成している。
【００３１】
迂回器２８の筒状部分は回収器２内に挿入され、回収器２の鍔６上面に迂回器２８の鍔２９を係止させることで、回収器２が迂回器２８を収容して支持するとともに、抽出器３の筒状部分を迂回器２８内に挿入し、迂回器３の鍔２９上面に抽出器３の鍔１１を係止させることにより、迂回器２８が抽出器３を収容して支持する。そして、迂回器２８と抽出器３により回収器２の上方を塞いでいる。
【００３２】
上記構成によって、抽出器３の形状はさらにシンプルになり製造コストをさらに低く抑えることが可能になる他、迂回器２８の形状もシンプルであるため、安いコストで製造することができる。そして各器１，２，３，２８の掃除もさらに容易になる。
【００３３】
以上、迂回壁１２を垂直方向に設置した例につき説明したが、図４は迂回壁１２を内側に向かって下降傾斜させた例につき示している。迂回壁１２は、抽出器３と一体に形成され内側に向かって下降傾斜しており、迂回壁１２全体の形状が略逆円錐形状になっている。
【００３４】
迂回壁１２の上記形状によって、抽出器３の鍔部１１の直径よりも小さく、迂回壁下端の開口部分の直径よりも大きい直径の略円形の開口部を有する回収器２であれば、回収器３内に抽出器３の略逆円錐形状の迂回壁を挿し込み、回収器２の開口部に迂回壁１２外面を接触させ、抽出器３を回収器２内に収容し、回収器２で抽出器３を支持させることが可能になる。
【００３５】
このため回収器２は専用品でなく既成品を用いることが可能になり、さらに手軽にエキス抽出のための蒸留を行うことができる。なお同図に示すように、冷媒容器１も回収器２が収容できれば専用品でなく既成品を用いることができ、この場合回収器２を冷媒容器１の底面に載置するため、回収器２の鍔６は不要になる。
【図面の簡単な説明】
【００３６】
【図１】エキス抽出蒸留装置の分解斜視図である。
【図２】エキス抽出蒸留装置の正面断面図である。
【図３】エキス抽出蒸留装置の他の態様を示す正面断面図である。
【図４】エキス抽出蒸留装置の他の形態を示す正面断面図である。
【符号の説明】
【００３７】
１      冷媒容器
２      回収器
３      抽出器
４      排出孔
６      鍔
７      ボルト
８      注入孔
９      漏斗
１１    鍔
１２    迂回壁
１３    迂回室
１４    凝結室
１６    開口部（導入口）
１７    通気孔（導入口）
１８    抽出室
１９    通気孔
２１    間隙
２２    密閉蓋
２３    設置口
２４    注入部
２６    注入口
２７    蒸気管
２８    迂回器
２９    鍔
【図１】
2008055246.tif 000003
【図２】
2008055246.tif 000004
【図３】
2008055246.tif 000005
【図４】
2008055246.tif 000006